(57)【特許請求の範囲】
【請求項１】
映像情報や音声情報、あるいは文字情報等で構成される放送データを受信可能な、デジタル放送受信端末装置において、複数のチューナーと、前記チューナー出力より単一のトランスポートストリームを出力する複数の復調手段と、前記復調手段出力のスクランブル解除を行う複数のデスクランブル手段と、前記デスクランブル手段出力のデコードを行うトランスポートデコード手段と、前記トランスポートデコード手段の出力のうち少なくとも一つのストリームに対し映像データ／音声データをデコード可能な映像／音声デコード手段と、前記複数の復調手段の出力と前記トランスポートデコード手段で選択された複数のパーシャルストリーム出力の選択を行う選択手段と、前記トランスポートデコード手段、前記映像／音声デコード手段および前記選択手段の制御を行う制御手段と、前記選択手段からの出力を蓄積可能な蓄積手段を備えたことを特徴とするデジタル放送受信装置。
【請求項２】
映像情報や音声情報、あるいは文字情報等で構成される放送データを受信可能な、デジタル放送受信端末装置において、複数のチューナーと、前記チューナー出力より単一のトランスポートストリームを出力する複数の復調手段と、前記第１の復調手段出力のスクランブル解除を行う第１のデスクランブル手段と、前記第１のデスクランブル手段出力のデコードを行う第１のトランスポートデコード手段と、前記複数の復調手段の出力と前記第１のトランスポートデコード手段で選択されたパーシャルストリーム出力の選択を行う選択手段と、前記選択手段からの出力を蓄積可能な蓄積手段と、前記蓄積手段の出力のスクランブル解除を行う第２のデスクランブル手段と、前記第２のデスクランブル手段出力のデコードを行う第２のトランスポートデコード手段と、前記トランスポートデコード手段出力のうち少なくとも一つのストリームに対し映像データ／音声データをデコード可能な映像／音声デコード手段と、前記第１第２のトランスポートデコード手段、前記映像／音声デコード手段および前記選択手段の制御を行う制御手段とを備えたことを特徴とするデジタル放送受信装置。
【請求項３】
映像情報や音声情報、あるいは文字情報等で構成される、１トランスポンダで複数のトランスポートストリームで構成される放送データを受信可能なデジタル放送受信端末装置において、チューナーと、前記チューナー出力を入力としトランスポートストリームを出力する復調手段と、前記復調手段出力である複数で構成されたトランスポートストリームを、一つ一つ選択可能であり、複数の出力端子から出力可能なトランスポートストリーム選択手段と、前記トランスポートストリーム選択手段出力のスクランブル解除を行う複数のデスクランブル手段と、前記デスクランブル手段出力のデコードを行うトランスポートデコード手段と、前記トランスポートデコード手段の出力のうち少なくとも一つのストリームに対し映像データ／音声データをデコード可能な映像／音声デコード手段と、前記トランスポートストリーム選択手段の複数の出力と前記トランスポートデコード手段で選択された複数のパーシャルストリーム出力の選択を行う選択手段と、前記トランスポートデコード手段、前記映像／音声デコード手段および前記選択手段の制御を行う制御手段と、前記選択手段からの出力を蓄積可能な蓄積手段を備えたことを特徴とするデジタル放送受信装置。
【請求項４】
映像情報や音声情報、あるいは文字情報等で構成される、１トランスポンダで複数のトランスポートストリームで構成される放送データを受信可能なデジタル放送受信端末装置において、チューナーと、前記チューナー出力を入力としトランスポートストリームを出力する復調手段と、前記復調手段出力である複数で構成されたトランスポートストリームを、一つ一つ選択可能であり、複数の出力端子から出力可能なトランスポートストリーム選択手段と、前記第１のトランスポートストリーム選択手段出力のスクランブル解除を行う第１のデスクランブル手段と、前記第１のデスクランブル手段出力のデコードを行う第１のトランスポートデコード手段と、前記複数のトランスポートストリーム選択手段の出力と前記第１のトランスポートデコード手段で選択されたパーシャルストリーム出力の選択を行う選択手段と、前記選択手段からの出力を蓄積可能な蓄積手段と、前記蓄積手段の出力のスクランブル解除を行う第２のデスクランブル手段と、前記第２のデスクランブル手段出力のデコードを行う第２のトランスポートデコード手段と、前記トランスポートデコード手段出力のうち少なくとも一つのストリームに対し映像データ／音声データをデコード可能な映像／音声デコード手段と、前記第１、第２のトランスポートデコード手段、前記映像／音声デコード手段および前記選択手段の制御を行う制御手段とを備えたことを特徴とするデジタル放送受信装置。
【発明の詳細な説明】
【０００１】
【発明の属する技術分野】
本発明は、デジタル信号の処理装置に係わり、更に詳しくはデジタル放送信号処理、データ蓄積処理に関する。
【０００２】
【従来の技術】
従来のデジタル放送信号処理装置の構成例を図９に示す。
以下、従来のデジタル放送信号処理装置について図９を参照しながら説明する。図９は従来のデジタル放送信号処理装置のブロック図である。
図９において、１０１はアンテナ、１０２は前記アンテナ１０１で受信された放送信号の選局を行うチューナー、１０３は前記チューナーで選局された信号の放送方式に合わせて復調する復調手段、１０４は前記復調手段１０３の出力がスクランブル処理されている信号の場合、そのスクランブル処理を解除するデスクランブル処理機能を持つデスクランブル機能手段、１０５は放送データであるトランスポートストリーム情報に従い、パケットID選択、同期再生、番組情報選択可能なトランスポートデコード手段、１０６は映像データ／音声データをデコード可能な映像／音声デコード手段、１０７は前記復調手段１０３の出力および前記トランスポートデコード手段１０５のパーシャルストリーム出力をCPU１１０の制御信号により選択可能な選択手段、１０８は前記選択回路１０７の高速データでのインタフェース、１１０は前記トランスポートデコード手段１０５、前記映像／音声デコード手段１０６のデコード制御、前記選択手段１０７の選択制御を行うCPU、１０９は前記高速デジタル信号の出力端子、１１１、１１２はデコード後の映像／音声出力端子である。
【０００３】
以上のように構成された図９の従来のデジタル放送信号処理装置について、以下その動作を説明する。
アンテナ１０１で受信された放送信号は、チューナー１０２に入力される。チューナー１０２では選局が行われる。チューナー１０２から出力された信号は復調手段１０３に入力される。復調手段１０３では、送られてくる放送信号に対応した復調方法で復調し、誤り訂正処理を行いデスクランブル機能手段１０４および選択手段１０７に出力される。
デスクランブル機能手段１０４では、守秘情報や商用システムに用いられている、特定者以外は視聴できなくするスクランブル（データ列の組み替え）をかけて送られてくるデータを、暗号を用い、視聴者が視聴できるように元の形に組み直す。出力データはトランスポートデコード手段１０５に入力される。
【０００４】
トランスポートデコード手段１０６では、パケットID（ＰＩＤ）処理を行う。これは、トランスポートデコード手段８，９に設定されたＰＩＤ候補と入力されたトランスポートストリームパケットから取り出したＰＩＤに一致を検出することが可能であり、ＰＩＤ単位にデータフォーマット処理、高速データ出力制御を行う。データフォーマット処理とは、トランスポートストリームパケットから指定のデータ形式のデータを抽出する処理である。また高速データ出力は、ARIB規格準拠の高速データ出力であり、入力された全てのトランスポートストリームを出力可能である。また、ＰＩＤでフィルタリングされたトランスポートストリームパケットを出力も可能であり、さらにＰＡＴ（program association table）データの書き換え機能も持つ。このときの高速データ出力をパーシャルストリームと呼ぶ。また、ＤＶＢの準拠の放送では、SI(Service Information)セクションが数Mbpsの帯域を使用して送られてくる。ここで予めセクションフィルタ条件を登録でき、この内一つでも一致するセクションヘッダ（セクションデータバイト前での各フィールド）を持つセクションを抜き出すことができる。このＳＩ情報は常にCPUで管理することができる。トランスポートデコード手段１０５の出力は映像／音声デコード手段１０６に入力され、パーシャルストリーム出力は選択手段１０７に入力される。
【０００５】
映像／音声デコード手段１０６では、トランスポートデコード手段１０５からの入力を受け、データストリームのシーケンスヘッダ検出を行い、同期再生、映像・音声デコード、出力画面生成を行う。出力は映像出力端子１１１，音声出力端子１１２に出力される。
選択手段１０７に入力される信号は、前記復調回路１０３の出力および前記トランスポート出力手段１０５のパーシャルストリーム出力である。このストリームのうちいずれか一つをＣＰＵ１１０からの制御信号により選択し出力される。この高速データ信号は高速デジタルインターフェース１０８に入力され、高速データ出力端子１０９より外部に出力される。出力された高速データは蓄積装置等に入力され、そのまま蓄積される。
【０００６】
【発明が解決しようとする課題】
従来、チューナー、MPEG信号に関してのデコーダなどを複数持ち合わせた構成でない場合、蓄積される放送データは受信選択された信号のみとなり、裏録など別の放送データを蓄積することが不可能であった。
また、外部蓄積装置にデータを蓄積しながら、蓄積装置からの入力データを再生するといった同時再生機能も、チューナー、MPEG信号に関してのデコーダなど複数持ち合わせた構成でないと不可能であった。
【０００７】
【課題を解決するための手段】
この課題を解決するために本発明は、チューナー、復調器、MPEG信号デコーダを複数で構成し、CPUを用い蓄積するデータを選択できるようにし、映像・音声出力信号も複数のデータを合成できるようにしたものである。
このような構成にすることにより、受信された放送信号に限らず、別の放送信号も蓄積可能とした。また、蓄積機能においても、放送データを外部蓄積装置に蓄積しながら、蓄積装置からの入力データを再生するといった同時再生も可能とした。
【０００８】
【発明の実施の形態】
本発明のデジタル放送受信端末装置は、複数のチューナーと、前記チューナー出力より単一のトランスポートストリームを出力する複数の復調手段と、前記復調手段出力のスクランブル解除を行う複数のデスクランブル手段と、前記デスクランブル手段出力のデコードを行うトランスポートデコード手段と、前記トランスポートデコード手段の出力のうち少なくとも一つのストリームに対し映像データ／音声データをデコード可能な映像／音声デコード手段と、前記複数の復調手段の出力と前記トランスポートデコード手段で選択された複数のパーシャルストリーム出力の選択を行う選択手段と、前記トランスポートデコード手段、前記映像／音声デコード手段および前記選択手段の制御を行う制御手段と、前記選択手段からの出力を蓄積可能な蓄積手段を備え、少なくとも一つのトランスポートストリームの映像デコードを行うと同時に、別のトランスポンダまたは同一トランスポンダ内の別のトランスポートストリームの蓄積を可能という作用を有する。
【０００９】
また、本発明のデジタル放送受信端末装置は、複数のチューナーと、前記チューナー出力より単一のトランスポートストリームを出力する複数の復調手段と、前記第１の復調手段出力のスクランブル解除を行う第１のデスクランブル手段と、前記第１のデスクランブル手段出力のデコードを行う第１のトランスポートデコード手段と、前記複数の復調手段の出力と前記第１のトランスポートデコード手段で選択されたパーシャルストリーム出力の選択を行う選択手段と、前記選択手段からの出力を蓄積可能な蓄積手段と、前記蓄積手段の出力のスクランブル解除を行う第２のデスクランブル手段と、前記第２のデスクランブル手段出力のデコードを行う第２のトランスポートデコード手段と、前記トランスポートデコード手段出力のうち少なくとも一つのストリームに対し映像データ／音声データをデコード可能な映像／音声デコード手段と、前記第１第２のトランスポートデコード手段、前記映像／音声デコード手段および前記選択手段の制御を行う制御手段とを備え、
複数の放送データ信号を受信可能とし、複数の放送データ、パーシャルストリームデータいずれかを蓄積手段に蓄積可能とし、さらに蓄積手段に蓄積されたデータをデコード処理可能とすることにより、選局された放送のデコード処理および蓄積手段からのデータデコード処理を行いながら、選局されたデータ、別チューナーでの受信データ、パーシャルストリームデータいずれかを蓄積可能という作用を有する。
【００１０】
また、本発明のデジタル放送受信端末装置は、チューナーと、前記チューナー出力を入力としトランスポートストリームを出力する復調手段と、前記復調手段出力である複数で構成されたトランスポートストリームを、一つ一つ選択可能であり、複数の出力端子から出力可能なトランスポートストリーム選択手段と、前記トランスポートストリーム選択手段出力のスクランブル解除を行う複数のデスクランブル手段と、前記デスクランブル手段出力のデコードを行うトランスポートデコード手段と、前記トランスポートデコード手段の出力のうち少なくとも一つのストリームに対し映像データ／音声データをデコード可能な映像／音声デコード手段と、前記トランスポートストリーム選択手段の複数の出力と前記トランスポートデコード手段で選択された複数のパーシャルストリーム出力の選択を行う選択手段と、前記トランスポートデコード手段、前記映像／音声デコード手段および前記選択手段の制御を行う制御手段と、前記選択手段からの出力を蓄積可能な蓄積手段を備え、１トラポンに複数の放送データが送られてきた場合、そのデータを各データごとに選択し、選択された放送データ信号をそれぞれ受信可能とし、さらに複数の放送データ、パーシャルストリームデータいずれかを蓄積手段に蓄積可能とすることにより、選局された放送のデコード処理を行いながら、選局された複数のデータ、パーシャルストリームデータいずれかを蓄積可能という作用を有する。
【００１１】
また、本発明のデジタル放送受信端末装置は、チューナーと、前記チューナー出力を入力としトランスポートストリームを出力する復調手段と、前記復調手段出力である複数で構成されたトランスポートストリームを、一つ一つ選択可能であり、複数の出力端子から出力可能なトランスポートストリーム選択手段と、前記第１のトランスポートストリーム選択手段出力のスクランブル解除を行う第１のデスクランブル手段と、前記第１のデスクランブル手段出力のデコードを行う第１のトランスポートデコード手段と、前記複数のトランスポートストリーム選択手段の出力と前記第１のトランスポートデコード手段で選択されたパーシャルストリーム出力の選択を行う選択手段と、前記選択手段からの出力を蓄積可能な蓄積手段と、前記蓄積手段の出力のスクランブル解除を行う第２のデスクランブル手段と、前記第２のデスクランブル手段出力のデコードを行う第２のトランスポートデコード手段と、前記トランスポートデコード手段出力のうち少なくとも一つのストリームに対し映像データ／音声データをデコード可能な映像／音声デコード手段と、前記第１、第２のトランスポートデコード手段、前記映像／音声デコード手段および前記選択手段の制御を行う制御手段とを備え、１トラポンに複数の放送データが送られてきた場合、そのデータを各データごとに選択し、選択された放送データ信号をそれぞれ受信可能とし、さらに複数の放送データ、パーシャルストリームデータいずれかを蓄積手段に蓄積可能とし、さらに蓄積手段に蓄積されたデータをデコード処理可能とすることにより、選局された放送のデコード処理および蓄積手段からのデータデコード処理を行いながら、選局された複数のデータ、パーシャルストリームデータいずれかを蓄積可能という作用を有する。
【００１２】
（実施の形態１）
以下に本発明のデジタル放送受信端末装置の、第１の実施の形態例について図１、２を用いて説明する。
図１において、１はアンテナ、２、３は前記アンテナ１で受信された放送信号の選局を行うチューナー、４，５は前記チューナーで選局された信号の放送方式に合わせて復調する復調手段、６，７は前記復調手段４，５の出力がスクランブル処理されている信号の場合、そのスクランブル処理を解除するデスクランブル処理機能を持つデスクランブル機能手段、８，９は放送データであるトランスポートストリーム情報に従い、パケットID選択、同期再生、番組情報選択可能なトランスポートデコード手段、１０，１１は映像データ／音声データをデコード可能な映像／音声デコード手段、１２は前記映像／音声デコード手段１０，１１の出力を合成し出力する合成手段、１３は前記復調手段４，５の出力および前記トランスポートデコード手段８，９のパーシャルストリーム出力をCPU１５の制御信号により選択可能な選択手段、１４は前記選択回路１３の高速データでのインタフェース、１５は前記トランスポートデコード手段８，９、前記映像／音声デコード手段１０，１１のデコード制御、前記選択手段１３の選択制御を行うCPU、１６は前記高速デジタル信号の出力端子、１７はデコード後の映像／音声出力端子である。
【００１３】
以上のように構成された図１の映像信号処理回路について、以下その動作を説明する。
アンテナ１で受信された放送信号は、チューナー２，３に入力される。ここでは放送局より送出されてくる信号が２トラポンでも１トラポンで２ｃｈでも選局可能としている。チューナー２，３では選局が行われ、それぞれ異なる局および同一局でも選択可能としている。チューナー２，３から出力された信号はそれぞれ復調手段４，５に入力される。復調手段４，５では、送られてくる放送信号に対応した復調方法で復調し、誤り訂正処理を行いデスクランブル機能手段６，７および選択手段１３に出力される。
デスクランブル機能手段６，７では、守秘情報や商用システムに用いられている、特定者以外は視聴できなくするスクランブル（データ列の組み替え）をかけて送られてくるデータを、暗号を用い、視聴者が視聴できるように元の形に組み直す。出力データはトランスポートデコード手段８，９に入力される。
【００１４】
トランスポートデコード手段８，９では、パケットID（ＰＩＤ）処理を行う。これは、トランスポートデコード手段８，９に設定されたＰＩＤ候補と入力されたトランスポートストリームパケットから取り出したＰＩＤに一致を検出することが可能であり、ＰＩＤ単位にデータフォーマット処理、高速データ出力制御を行う。データフォーマット処理とは、トランスポートストリームパケットから指定のデータ形式のデータを抽出する処理である。また高速データ出力は、ARIB規格準拠の高速データ出力であり、入力された全てのトランスポートストリームを出力可能である。また、ＰＩＤでフィルタリングされたトランスポートストリームパケットを出力も可能であり、さらにＰＡＴ（program association table）データの書き換え機能も持つ。このときの高速データ出力をパーシャルストリームと呼ぶ。また、ＤＶＢの準拠の放送では、SI(Service Information)セクションが数Mbpsの帯域を使用して送られてくる。ここで予めセクションフィルタ条件を登録でき、この内一つでも一致するセクションヘッダ（セクションデータバイト前での各フィールド）を持つセクションを抜き出すことができる。このＳＩ情報は常にCPUで管理することができる。トランスポートデコード手段８，９の出力は映像／音声デコード手段１０，１１に入力され、パーシャルストリーム出力は選択手段１３に入力される。
【００１５】
映像／音声デコード手段１０，１１では、トランスポートデコード手段８，９からの入力を受け、データストリームのシーケンスヘッダ検出を行い、同期再生、映像・音声デコード、出力画面生成を行う。出力は合成回路１２に入力される。
合成回路１２では、映像／音声デコード手段１０，１１の入力を受け、出力映像の選択、２画面出力のための合成、音声出力の合成を行い、映像／音声出力端子１７から出力される。
【００１６】
選択手段１３に入力される信号は、前記復調回路４，５の出力および前記トランスポート出力手段８，９のパーシャルストリーム出力である。このストリームのうちいずれか一つをＣＰＵからの制御信号により選択し出力される。この高速データ信号は高速デジタルインターフェース１４に入力され、高速データ出力端子１６より外部に出力される。出力された高速データは蓄積装置等に入力され、そのまま蓄積される。
【００１７】
次に図２を用いて、図１のデジタル放送受信端末装置から出力される信号を説明する。図２は、映像／音声出力および選択手段１３高速データ出力で出力できる信号を示した図である。
図２でのトランスポートデコード手段入力ａ、トランスポートデコード手段入力ｂは、図１でのそれぞれフロントエンド▲１▼（ＦＥ▲１▼）、フロントエンド▲２▼（ＦＥ▲２▼）の出力となる。これらはそれぞれ映像／音声デコード手段でデコード処理され映像出力端子、音声出力端子より出力される。また、高速データ出力にはＦＥ▲１▼、ＦＥ▲２▼の出力、パーシャルストリーム１，２のうちいずれか一つ選択される出力となる。
図１でアンテナ１からの入力は、複数トラポンからの信号、１トラポンに複数多重されてくる信号が考えられる。ここで、複数のチューナー、復調器を持つことによりそれぞれの放送信号を復調する。これら復調された放送信号は選択回路１３に入力される。またトランスポートデコード手段８，９で、ＰＩＤでフィルタリングされたトランスポートストリームパケット、またＰＡＴデータの書き換えが行われたストリームはパーシャルストリームとして出力され、選択手段１３に入力される。選択手段１３ではＣＰＵ制御により、蓄積装置へ出力される高速データを選択し、出力端子より選択されたストリームを出力する。
【００１８】
このように、映像／音声出力端子からの出力と、蓄積装置への出力へは、複数のチューナー、復調手段、デコード処理手段を持つことにより、それぞれ出力端子からは別々のデータ出力が可能となり、裏録などの機能が実現できる。
（実施の形態２）
次に、本発明のデジタル放送受信端末装置の、第２の実施の形態例について図３、４を用いて説明する。なお前述した第１の実施の形態例と同じ構成については同じ符号を用い説明を省略する。
【００１９】
図３において、２１は前記復調手段４，５の出力および前記トランスポートデコード手段８のパーシャルストリーム出力をCPU１５の制御信号により選択可能な選択手段、２２は前記選択回路１３の高速データ出力および外部蓄積装置から入力される高速デジタルインタフェース、２３は前記高速デジタルインターフェース２２から入力される信号のうちスクランブルがかかっているものであれば、デスクランブル処理を行い、そうでないデータはそのまま出力するデスクランブラ手段、２４は高速データ信号の入力を受け、パケットID選択、同期再生、番組情報選択可能なトランスポートデコード手段である。
以上のように構成された図３の映像信号処理回路について、以下その動作を説明する。
選択回路２１に入力される信号は、前記復調回路４，５の出力および前記トランスポート出力手段８のパーシャルストリーム出力である。このストリームのうちいずれか一つをＣＰＵからの制御信号により選択し出力される。この高速データ信号は高速デジタルインターフェース２２に入力され、高速データ入出力端子１６より外部に出力される。ここで高速デジタルインターフェース２２と高速データ入出力端子１６は双方向の信号線で結ばれる。たとえばIEEE1394等である。これにより高速データを出力しながら、外部からの高速データも入力可能となる。蓄積装置等より外部から入力されたデータは高速デジタルインターフェース２２を介し、デスクランブラ２３で処理が行われ、トランスポートデコード手段２４へ入力される。トランスポートデコード手段２４でパケットID選択、同期再生、番組情報選択を行った後、映像／音声デコード手段１１で映像、音声それぞれデコードされ、合成回路１２で、ＦＥ▲１▼で選局された信号とを合成し映像／音声出力端子より出力される。
【００２０】
次に図４を用いて、図３のデジタル放送受信端末装置から出力される信号を説明する。図３は、映像／音声出力および高速データ出力で出力できる信号を示した図である。
図４でのトランスポートデコード手段入力ａ、トランスポートデコード手段入力ｂは、図３でのそれぞれフロントエンド▲１▼（ＦＥ▲１▼）、外部機器からの高速データ信号の入力となる。これらはそれぞれ映像／音声デコード手段でデコード処理され、映像出力端子、音声出力端子より出力される。また、高速データ出力にはＦＥ▲１▼、ＦＥ▲２▼の出力、パーシャルストリーム１のうちいずれか一つ選択された出力となる。
図１でアンテナ１からの入力は、複数トラポンからの信号、１トラポンに複数多重されてくる信号が考えられる。ここで、複数のチューナー、復調器を持つことによりそれぞれの放送信号を復調する。これら復調された放送信号は選択回路２１に入力される。またトランスポートデコード手段８で、ＰＩＤでフィルタリングされたトランスポートストリームパケット、またＰＡＴデータの書き換えが行われたストリームはパーシャルストリームとして出力され、選択手段２１に入力される。選択手段２１ではＣＰＵ制御により、蓄積装置へ出力される高速データを選択し、出力端子より選択されたストリームを出力する。
このように、複数の放送データ信号を受信可能とし、複数の放送データ、パーシャルストリームデータいずれかを蓄積手段に蓄積可能とし、さらに蓄積手段に蓄積されたデータをデコード処理可能とすることにより、選局された放送のデコード処理および蓄積手段からのデータデコード処理を行いながら、選局されたデータ、別チューナーでの受信データ、パーシャルストリームデータいずれか蓄積可能となる。
【００２１】
（実施の形態３）
以下に本発明のデジタル放送受信端末装置の、第１の実施の形態例について図５、６を用いて説明する。なお前述した第１、２の実施の形態例と同じ構成については同じ符号を用い説明を省略する。
図５において、３１は１トラポンで複数のトランスポートストリームで構成される放送データを各トランスポートストリームに分離し出力できるＴＳ選択手段、３２は第１のトランスポートストリーム選択出力、第２のトランスポートストリーム選択出力、前記トランスポートデコード手段８，９のパーシャルストリーム出力を前記CPU１５の制御信号により選択可能な選択手段である。
以上のように構成された図５のデジタル放送受信端末装置について、以下その動作を説明する。
アンテナ１で受信された放送信号は、チューナー２に入力される。ここでは放送局より送出されてくる信号の選局を行う。チューナー２から出力された信号は復調手段４に入力される。復調手段４では、送られてくる放送信号に対応した復調方法で復調し、誤り訂正処理を行い、その出力はＴＳ選択手段３１に入力される。
ＴＳ選択手段３１では、１トラポンで複数のトランスポートストリーム構成の放送データをトランスポートストリームごとに検出、分離を行い、それぞれ出力可能としている。各トランスポートストリーム出力は、デスクランブル機能手段６，７および選択手段３２に出力される。
【００２２】
選択手段３２に入力される信号は、前記ＴＳ選択手段３１の第１のトランスポートストリーム選択出力、第２のトランスポートストリーム選択出力および前記トランスポート出力手段８，９のパーシャルストリーム出力である。このストリームのうちいずれか一つをＣＰＵからの制御信号により選択し出力される。この高速データ信号は高速デジタルインターフェース１４に入力され、高速データ出力端子１６より外部に出力される。出力された高速データは蓄積装置等に入力され、そのまま蓄積される。
【００２３】
次に図６を用いて、図５のデジタル放送受信端末装置から出力される信号を説明する。図６は、映像／音声出力および選択手段３２で出力される高速データ出力を示した図である。
図６でのトランスポートデコード手段入力ａ、トランスポートデコード手段入力ｂは、図５でのそれぞれ第１のトランスポートストリーム選択出力、第２のトランスポートストリーム選択出力となる。これらはそれぞれ映像／音声デコード手段でデコード処理され映像／音声出力端子より出力される。また、高速データ出力には、第１のトランスポートストリーム選択出力、第２のトランスポートストリーム選択出力、パーシャルストリーム１，２のうちいずれか一つ選択される出力となる。
【００２４】
このように、ＴＳ選択手段を設けることにより、１トラポンで複数のトランスポートストリーム構成の放送データを分離することが可能となり、選択されたトランスポートストリームをそれぞれ受信可能とし、さらに複数のトランスポートストリーム、パーシャルストリームデータいずれかを蓄積手段に蓄積可能とすることにより、選局された放送のデコード処理を行いながら、選局された複数のデータ、パーシャルストリームデータいずれかを蓄積可能となる。
（実施の形態４）
次に、本発明のデジタル放送受信端末装置の、第４の実施の形態例について図７、８を用いて説明する。なお前述した第１、２、３の実施の形態例と同じ構成については同じ符号を用い説明を省略する。
【００２５】
図７において、４１は第１のトランスポートストリーム選択出力、第２のトランスポートストリーム選択出力、前記トランスポートデコード手段８のパーシャルストリーム出力を前記CPU１５の制御信号により選択可能な選択手段である。選択手段４１に入力される信号は、前記ＴＳ選択手段３１の第１のトランスポートストリーム選択出力、第２のトランスポートストリーム選択出力および前記トランスポート出力手段８のパーシャルストリーム出力である。このストリームのうちいずれか一つをＣＰＵからの制御信号により選択し出力される。
以上のように構成された図４の映像信号処理回路について、以下その動作を説明する。
【００２６】
選択手段４１に入力される信号は、前記ＴＳ選択手段３１の出力および前記トランスポート出力手段８のパーシャルストリーム出力である。このストリームのうちいずれか一つをＣＰＵからの制御信号により選択し出力される。この高速データ信号は高速デジタルインターフェース２２に入力され、高速データ入出力端子１６より外部に出力される。ここで高速デジタルインターフェース２２と高速データ入出力端子１６はIEEE１３９４などの双方向の信号線で結ばれる。これにより高速データを出力しながら、外部からの高速データも入力可能となる。蓄積装置等より外部から入力されたデータは高速デジタルインターフェース２２を介し、デスクランブラ２３で処理が行われ、トランスポートデコード手段２４へ入力される。トランスポートデコード手段２４でパケットID選択、同期再生、番組情報選択を行った後、映像／音声デコード手段１１で映像、音声それぞれデコードされ、合成回路１２で、ＴＳ選択出力の第１のトランスポートストリームとを合成し映像／音声出力端子より出力される。
【００２７】
次に図８を用いて、図７のデジタル放送受信端末装置から出力される信号を説明する。図３は、映像／音声出力および選択回路４１で選択可能な高速データ出力を示した図である。
図８でのトランスポートデコード手段入力ａ、トランスポートデコード手段入力ｂは、図７でのそれぞれ第１のトランスポートストリーム選択出力、外部機器からの高速データ信号の入力となる。これらはそれぞれ映像／音声デコード手段でデコード処理され、映像／音声出力端子より出力される。また、高速データ出力には第１のトランスポートストリーム選択出力、第２のトランスポートストリーム選択出力、パーシャルストリーム１のうちいずれか一つ選択された出力となる。
【００２８】
このように、ＴＳ選択手段を設けることにより、１トラポンで複数のトランスポートストリーム構成の放送データを分離することが可能となり、選択されたトランスポートストリームをそれぞれ受信可能とし、さらに複数のトランスポートストリーム、パーシャルストリームデータいずれかを蓄積手段に蓄積可能とし、さらに蓄積手段に蓄積されたデータを入力でき、かつデコード処理可能とすることにより、選局された放送のデコード処理および蓄積手段からのデータのデコード処理を行いながら、選局された複数のトランスポートストリームデータ、パーシャルストリームデータいずれかを蓄積可能となる。
【００２９】
【発明の効果】
以上のように本発明によれば、複数の放送データ信号を受信可能とし、さらに複数の放送データ、パーシャルストリームデータいずれかを蓄積手段に蓄積可能とすることにより、選局された放送のデコード処理を行いながら、選局されたデータ、別チューナーでの受信データ、パーシャルストリームデータいずれかを蓄積可能となり、裏録などの機能が実現できる。
【００３０】
また、複数の放送データ信号を受信可能とし、複数の放送データ、パーシャルストリームデータいずれかを蓄積手段に蓄積可能とし、さらに蓄積手段に蓄積されたデータをデコード処理可能とすることにより、選局された放送のデコード処理および蓄積手段からのデータデコード処理を行いながら、選局されたデータ、別チューナーでの受信データ、パーシャルストリームデータいずれか蓄積可能となり、同時録再やタイミングをずらしてデコード処理を行うタイムシフト再生が可能となる。
【００３１】
また、ＴＳ選択手段を設けることにより、１トラポンで複数のトランスポートストリーム構成の放送データを分離することが可能となり、選択されたトランスポートストリームをそれぞれ受信可能とし、さらに複数のトランスポートストリーム、パーシャルストリームデータいずれかを蓄積手段に蓄積可能とすることにより、選局された放送のデコード処理を行いながら、選局された複数のデータ、パーシャルストリームデータいずれかを蓄積可能となり、裏録などの機能が実現できる。
【００３２】
また、ＴＳ選択手段を設けることにより、１トラポンで複数のトランスポートストリーム構成の放送データを分離することが可能となり、選択されたトランスポートストリームをそれぞれ受信可能とし、さらに複数のトランスポートストリーム、パーシャルストリームデータいずれかを蓄積手段に蓄積可能とし、さらに蓄積手段に蓄積されたデータを入力でき、かつデコード処理可能とすることにより、選局された放送のデコード処理および蓄積手段からのデータのデコード処理を行いながら、選局された複数のトランスポートストリームデータ、パーシャルストリームデータいずれかを蓄積可能となり、同時録再やタイミングをずらしてデコード処理を行うタイムシフト再生が可能となる。
【図面の簡単な説明】
【図１】本発明の実施の形態１によるデジタル放送受信端末装置の構成図
【図２】実施の形態１の出力信号パターンを示す図
【図３】本発明の実施の形態２によるデジタル放送受信端末装置の構成図
【図４】実施の形態２の出力信号パターンを示す図
【図５】本発明の実施の形態３によるデジタル放送受信端末装置の構成図
【図６】実施の形態３の出力信号パターンを示す図
【図７】本発明の実施の形態４によるデジタル放送受信端末装置の構成図
【図８】実施の形態４の出力信号パターンを示す図
【図９】従来のデジタル放送受信端末装置の構成図
【符号の説明】
１、１０１    アンテナ
２    第１のチューナー
３    第２のチューナー
４    第１の復調器
５    第２の復調器
６    第１のデスクランブラ
７、２３    第２のデスクランブラ
８    第１のトランスポートデコード手段
９、２４    第２のトランスポートデコード手段
１０    第１の映像／音声デコード手段
１１    第２の映像／音声デコード手段
１２    合成手段
１３、２１、３２、４１、１０７    選択手段
１４、２２、１０８    高速デジタルインターフェース
１５、１１０    ＣＰＵ
１６、１０９    高速デジタルデータ出力端子
１７    映像出力端子
１８    音声出力端子
３１    トランスポートストリームの選択手段
１０２    チューナー
１０３    復調手段
１０４    デスクランブラ
１０５    トランスポートデコード手段
１０６    映像／音声デコード手段
１１１    映像／音声出力端子
【図１】
0003837906.tif 000002
【図２】
0003837906.tif 000003
【図３】
0003837906.tif 000004
【図４】
0003837906.tif 000005
【図５】
0003837906.tif 000006
【図６】
0003837906.tif 000007
【図７】
0003837906.tif 000008
【図８】
0003837906.tif 000009
【図９】
0003837906.tif 000010